(57)【要約】      （修正有）【課題】中空糸膜により原水を膜分離する際に該中空糸膜の表面を広く有効に活用し、水処理効率を向上させることが可能な中空糸膜ユニット、水処理装置、及び水処理方法を提供する。【解決手段】容器１１内部に中空糸膜１２を有し、原水入口部１３から容器内部に加圧されながら供給された原水が容器内部を原水出口部１４へと中空糸膜の長手方向に沿って流れて排出されるように構成され、且つ、容器内部を流れる原水が中空糸膜によって膜分離され、中空糸膜を内側へと透過した透過水が原水の流れ方向と同方向に流れて前記中空糸膜から排出されるように構成された中空糸膜ユニット１０であって、容器内部の原水流路１５が、流れ方向上流側端部の横断面積が下流側端部の横断面積よりも大きくなるように傾斜したテーパ形状に形成されることによって構成されたことを特徴とする中空糸膜ユニット。【選択図】図１
2012076041.tif 000002
【特許請求の範囲】
【請求項１】
容器内部に中空糸膜を有し、前記容器の長手方向一端部に原水入口部、他端部に原水出口部が形成されており、前記原水入口部から前記容器内部に加圧されながら供給された原水が前記容器内部を前記原水出口部へと前記中空糸膜の長手方向に沿って流れて前記原水出口部から排出されるように構成され、且つ、前記容器内部を流れる原水が前記中空糸膜によって膜分離され、かかる膜分離によって前記中空糸膜を内側へと透過した透過水が原水の流れ方向と同方向に流れて前記中空糸膜から排出されるように構成された中空糸膜ユニットであって、
前記容器内部の原水流路が、該原水流路における前記流れ方向上流側端部の横断面積が下流側端部の横断面積よりも大きくなるように傾斜したテーパ形状に形成されることによって構成されたことを特徴とする中空糸膜ユニット。
【請求項２】
請求項１に記載の中空糸膜ユニットを備えてなる水処理装置。
【請求項３】
請求項１に記載の中空糸膜ユニットを用いて原水を膜分離する水処理方法。
【発明の詳細な説明】
【技術分野】
【０００１】
本発明は、中空糸膜ユニット、水処理装置および水処理方法に関し、詳しくは、中空糸膜によって原水が膜分離されるように構成されてなる中空糸膜ユニット、該中空糸膜ユニットを備えてなる水処理装置、及び該中空糸膜ユニットを用いて原水を膜分離する水処理方法に関する。
【背景技術】
【０００２】
従来より、この種の水処理装置は、例えば、工場（鉄鋼、食品、電力、電子、医薬、自動車等の工場）の廃水、生活廃水、ゴミ浸出水等の廃水、工業用水等の用水、河川水、湖沼水、及び海水等の原水を膜分離することによって透過水たる処理水を得るのに用いられている。
【０００３】
かかる水処理装置は、具体的には、中空糸膜ユニットを備え、更に、該中空糸膜ユニットに原水を圧送する加圧供給ポンプを備えてなる。中空糸膜ユニットでは、原水が加圧されながら容器内部を通過する間に中空糸膜によって膜分離され、かかる膜分離によって中空糸膜内部の中空部分へと透過した水（透過水）は、該中空部分を原水の流れ方向に沿って下流側に移動し、該下流側において中空糸膜から排出されるようになっている。
【０００４】
図７に示すように、従来の中空糸膜ユニット１０は、容器１１と、該容器１１内に設けられた中空糸膜１２と、を備えている。容器１１は、容器１１内部における原水流路１５の横断面積が長手方向に一定である円筒の両端が壁部によって塞がれた形状から形成されており、容器１１の長手方向に沿って中空糸膜１２が配置されている。容器１１の周面における長手方向一端部（図７の左側）には、原水が供給される原水入口部１３が形成され、他端部（図７の右側）には、容器１１内部で中空糸膜１２を透過しなかった原水が排出される原水出口部１４が形成されており、原水入口部１３から供給された原水は、容器１１内部において中空糸膜１２が存在しない領域から形成される原水流路１５を、中空糸膜１２の長手方向に沿って原水出口部１４に向かって流れた後、原水出口部１４から排出されるようになっている。
【０００５】
かかる容器１１内部において、中空糸膜１２の原水入口部１３側の端部（図７の左側）は、第１保持板１６に、該第１保持板１６を貫通することなく保持され、これにより該端部は塞がれている。一方、中空糸膜１２の原水出口部１４側（図７の右側）の端部は、第２保持板１７に、該第２保持板１７を貫通した状態で保持されている。第２保持板１７と、容器１１における原水出口部１４側の端壁と、の間には、隙間から成る集水室１８が形成されている。かかる集水室１８は中空糸膜１２と連通しており、中空糸膜１２を透過した透過水は集水室１８に導入されるようになっている。また、上記端壁には、集水室１８に導入された透過水を排出するための透過水出口部１９が設けられている。
【０００６】
そして、加圧された原水が原水入口部１３から容器１１内部に供給され、原水流路１５を原水出口部１４に向かって流れる際、原水が中空糸膜１２によって膜分離されることにより、中空糸膜１２を外側から内側の中空部分に向かって透過した水（透過水）が得られる。かかる透過水は、中空糸膜１２の中空部分を原水の流れ方向（図７及び図８の左側から右側に向かう方向）と同方向に流れて、透過水出口部１９から排出される。
【０００７】
このような従来の中空糸膜ユニット１０では、図８及び図９に示すように、一般に原水の流れ方向下流側（図９の右側）では透過水量が多いが（図９に破線矢印で示す）、上流側（図９の左側）に向かうほど透過水量が少なくなる。さらに、中空糸膜１２が長過ぎると、上記流れ方向上流側端部では透過水が得られない場合も生じ得る。このように、中空糸膜１２において原水の流れ方向上流側では下流側よりも透過水量が少なくなると、中空糸膜１２において原水と接触する全表面積に対して実際に水の膜透過に寄与する有効な表面積が減少するため、中空糸膜１２が有効に活用されておらず、水処理の効率が低下していた。
【０００８】
一方、このような中空糸膜ユニットでは、水処理効率を上げるために中空糸膜を薄くすることによって膜の透過抵抗を小さくしているが、中空糸膜を薄くすると、中空糸膜が損傷した場合に、透過抵抗が小さいことと相俟って、損傷箇所を通して原水が中空糸膜の中空部分に漏出し、処理水たる透過水の水質が大きく低下するおそれがあった。
【０００９】
そこで、水処理中の圧力上昇が少なく、損傷の少ない中空糸モジュール（中空糸膜ユニット）が提案されている（特許文献１参照）。かかる中空糸モジュールでは、中空糸膜の２つの接着固定部（保持板）のうち原水の流れ方向下流側端部の接着固定部（第２保持板）における容器の横断面積が、中空糸膜が接着固定されていない部分における容器の横断面積（原水流路の横断面積）よりも大きい構造とすることによって、洗浄時における中空糸膜の非接着部分の膜面速度を高く保ち、高い洗浄力を維持すると共に、中空糸膜根元部における膜面流速を抑え、膜の損傷を防止することを可能としている。
【先行技術文献】
【特許文献】
【００１０】
【特許文献１】特開２０００−８４３７５号公報
【発明の概要】
【発明が解決しようとする課題】
【００１１】
しかし、特許文献１に示されるように、容器内部の原水流路を、該原水流路における原水の流れ方向下流側端部の横断面積が上流側端部の横断面積よりも大きくなるように形成しても、中空糸膜における上記流れ方向上流側の透過水量を増加させることは困難であり、従って、中空糸膜の表面を広く有効に活用することは困難であった。
【００１２】
また、中空糸膜の初期状態において該中空糸膜の表面を広く活用できない場合、中空糸膜の透過し易い部分ではファウリングや閉塞が進行し、中空糸膜の寿命が短くなる。また、中空糸膜において初期状態で水が透過し難い部分に水を透過させようとすれば、その分だけ容器内に供給される原水に大きな圧力を加える必要があるため、大きなエネルギーが必要となるばかりか、加圧供給ポンプや容器に大きな負荷がかかり、水処理装置の寿命が短くなるおそれもある。
【００１３】
本発明は、上記問題点に鑑み、中空糸膜により原水を膜分離する際に該中空糸膜の表面を広く有効に活用し、水処理効率を向上させることが可能な中空糸膜ユニット、水処理装置、及び水処理方法を提供することを目的とする。
【課題を解決するための手段】
【００１４】
本発明者らが鋭意研究したところ、中空糸膜によって原水が膜分離されて得られる透過水量が原水の流れ方向下流側で大きく、上流側で小さくなる原因として、以下の要因を見出した。
【００１５】
すなわち、上記した図７及び図８に示すような、原水流路の横断面積が長手方向に一定な円筒形状の容器１１を有する従来の中空糸膜ユニット１０においては、原水が該原水の流れ方向上流側から下流側に向かう間に、中空糸膜１２によって順次膜分離されることにより、容器１１内部を通過する原水の圧力損失が生じる。
【００１６】
ここで、図９に示すように、中空糸膜１２における上記流れ方向上流側（図９の左側）端部を原点とし、該原点から上記流れ方向下流側（図９の右側）に向かって離れた位置をＸとすると、図１０に示すように、原水に加えられた全圧Ｐは、圧力損失により、上記流れ方向上流側から下流側に向かうほど小さくなる。また、中空糸膜１２の全圧Ｐは、静圧Ｐａと動圧Ｐｂの和（Ｐ＝Ｐａ＋Ｐｂ）で表される。ここで、動圧Ｐｂは、λを係数、ρを原水の密度、ｖを流速、Ｌを容器の長さ、Ｄを容器の直径として、Ｐｂ＝（λ／２）×ρ×ｖ2×Ｌ／Ｄで表されるため、動圧Ｐｂは、原水の速度ｖの２乗に比例する。また、中空糸膜１２に対する透過水量は、中空糸膜１２の外側から内側に水を押し込む力、すなわち静圧Ｐａに比例する。
【００１７】
このとき、各位置Ｘにおいて圧力損失後の全圧Ｐが一定であるとすると、容器１１内部を上記流れ方向上流側から下流側まで通過する原水の流速ｖが一定であれば、全ての位置Ｘにおいて動圧Ｐｂが一定となるため、上記流れ方向下流側では全圧Ｐの低下に伴って静圧Ｐａのみが低下し、中空糸膜１２に対する透過水量が減少することになる。
【００１８】
しかし、中空糸膜１２を透過した透過水は該中空糸膜１２における上記流れ方向下流側端部から排出されるため、中空糸膜１２の該下流側では中空糸膜１２内部の圧力が減少する。これにより、該下流側では、中空糸膜１２の外部と内部との圧力差（膜間差圧）が大きくなって、中空糸膜１２の透過水量が増加する。また、かかる透過水量の増加に伴い、中空糸膜１２の該下流側表面を通過する原水の速度ｖが減少する。
【００１９】
一方、中空糸膜１２内部の中空部分は長手方向に細長い領域を形成しており、該中空部分における上記流れ方向上流側での透過水は下流側へと移動し難くなるため、該上流側では、中空糸膜１２の内部の圧力が減少し難い。これにより、該上流側では、中空糸膜１２の膜間差圧が小さく、中空糸膜１２の透過水量の増加が困難となる。また、このように透過水量が増加しないため、中空糸膜１２の該上流側表面を通過する原水の速度ｖは減少しない。
【００２０】
従って、図１０に示すように、容器１１内部において上記流れ方向下流側では、上流側よりも原水の流速ｖが低下するため、かかる流速ｖの低下によって該下流側端部における原水の動圧Ｐｂ１が減少し、かかる動圧Ｐｂ１の減少に伴って該下流側端部における原水の静圧Ｐａ１が増加する。そして、かかる動圧Ｐｂ１の減少によって生じる静圧Ｐａ１の増加が、全圧Ｐの低下によって生じる静圧Ｐａ１の減少を上回ることによって、全体として静圧Ｐａ１が増加する。
【００２１】
一方、上記流れ方向上流側では、圧力損失が小さいため全圧Ｐは大きく減少しない。しかし、該上流側では、原水の流速ｖが大きいため、該上流側端部における動圧Ｐｂ２が増加し、これに伴って該上流側端部の静圧Ｐａ２が減少する。このように、全圧Ｐの減少の程度は小さいものの、動圧Ｐｂ２の増加によって静圧Ｐａ２が減少するため、全体として静圧Ｐａ２が減少する。
【００２２】
そして、上記流れ方向における上流側端部の静圧Ｐａ２の方が、下流側端部の静圧Ｐａ１よりも小さくなることから、中空糸膜１２に対する透過水量が下流側では増加するのに対し、上流側では減少する。このように、原水の流れ方向上流側端部の静圧Ｐａ２が、下流側端部の静圧Ｐａ１よりも減少することにより、中空糸膜１２における該下流側端部の透過水量に対して上流側端部の透過水量が減少することが判明した。
【００２３】
そこで、本発明者らは、容器内部の原水流路を、該原水流路における原水の流れ方向上流側端部の横断面積が下流側端部の横断面積よりも大きくなるように傾斜したテーパ形状に形成することにより、容器内部において原水の流れ方向上流側端部の静圧Ｐａ２を大きくして、該上流側端部Ｐａ２に対する下流側端部Ｐａ１の差（Ｐａ１−Ｐａ２）を小さくすることができ、これにより、該上流側端部の透過水量と下流側端部の透過水量との差を小さくすることができるため、中空糸膜の表面をより広く有効に活用できることを見出し、本発明を完成した。
【００２４】
すなわち、本発明は、容器内部に中空糸膜を有し、前記容器の長手方向一端部に原水入口部、他端部に原水出口部が形成されており、前記原水入口部から前記容器内部に加圧されながら供給された原水が前記容器内部を前記原水出口部へと前記中空糸膜の長手方向に沿って流れて前記原水出口部から排出されるように構成され、且つ、前記容器内部を流れる原水が前記中空糸膜によって膜分離され、かかる膜分離によって前記中空糸膜を内側へと透過した透過水が原水の流れ方向と同方向に流れて前記中空糸膜から排出されるように構成された中空糸膜ユニットであって、前記容器内部の原水流路が、該原水流路における前記流れ方向上流側端部の横断面積が下流側端部の横断面積よりも大きくなるように傾斜したテーパ形状に形成されることによって構成されたことを特徴とする中空糸膜ユニットである。
【００２５】
本発明によれば、容器内部の原水流路を、該原水流路における原水の流れ方向上流側端部の横断面積が下流側端部の横断面積よりも大きくなるように傾斜したテーパ形状に形成することにより、容器内部を流れる原水における該原水の流れ方向上流側端部の静圧と下流側端部の静圧との差を小さくすることができるため、中空糸膜における上記流れ方向上流側端部での透過水量と下流側端部での透過水量との差を小さくすることができる。これにより、中空糸膜により原水を膜分離する際に該中空糸膜の表面を広く有効に活用することができ、処理効率を向上させることができる。
【００２６】
また、本発明は、前記中空糸膜ユニットを備えてなる水処理装置である。
【００２７】
本発明によれば、中空糸膜の表面を広く有効に活用しつつ水処理を行うことができるため、水処理効率を向上させることができる。
【００２８】
また、本発明は、前記中空糸膜ユニットを用いて原水を膜分離する水処理方法である。      
【００２９】
本発明によれば、中空糸膜の表面を広く有効に活用しつつ水処理を行うことができるため、水処理効率を向上させることができる。
【発明の効果】
【００３０】
以上のように、本発明によれば、中空糸膜により原水を膜分離する際に該中空糸膜の表面を広く有効に活用し、水処理効率を向上させることが可能となる。
【図面の簡単な説明】
【００３１】
【図１】一実施形態に係る中空糸膜ユニットの概略側面断面図
【図２】一実施形態に係る中空糸膜ユニットの概略側面断面図
【図３】一実施形態に係る中空糸膜ユニットを簡略化して示す図であって、中空糸膜が１本だけ設けられた構成の中空糸膜ユニットを模式的に示す概略側面断面図
【図４】図３のピトー管周辺を示す拡大概略図
【図５】一実施形態に係る水処理装置の概略図
【図６】実験装置の概略図
【図７】従来の中空糸膜ユニットの概略側面断面図
【図８】従来の中空糸膜ユニットを簡略化して示す図であって、中空糸膜が１本だけ設けられた構成の中空糸膜ユニットを模式的に示す概略側面断面図
【図９】従来の中空糸膜ユニットにおける中空糸膜周辺の概略拡大側面断面図
【図１０】従来の中空糸膜ユニットにおいて中空糸膜における長手方向の位置と原水の圧力との関係を模式的に示す図
【発明を実施するための形態】
【００３２】
以下、添付図面を参照しつつ、本発明の一実施形態について説明する。なお、図１〜図６において、図７〜図９と共通する部分には共通する符号を付して説明を省略する。
【００３３】
まず、本実施形態の中空糸膜ユニットについて説明する。
【００３４】
本実施形態の中空糸膜ユニットは、容器内部に中空糸膜を有し、前記容器の長手方向一端部に原水入口部、他端部に原水出口部が形成されており、前記原水入口部から前記容器内部に加圧されながら供給された原水が前記容器内部を前記原水出口部へと前記中空糸膜の長手方向に沿って流れて前記原水出口部から排出されるように構成され、且つ、前記容器内部を流れる原水が前記中空糸膜によって膜分離され、かかる膜分離によって前記中空糸膜を内側へと透過した透過水が原水の流れ方向と同方向に流れて前記中空糸膜から排出されるように構成された中空糸膜ユニットであって、前記容器内部の原水流路が、該原水流路における前記流れ方向上流側端部の横断面積が下流側端部の横断面積よりも大きくなるように傾斜したテーパ形状に形成されることによって構成されている。
【００３５】
図１に示すように、中空糸膜ユニット１０は、容器１１と、該容器１１の内部に長手方向に沿って配置された中空糸膜１２を備えており、容器１１内部の原水の流れ方向と、中空糸膜１２を透過した透過水の流れ方向は、同方向になるように設定されている。以下、原水の流れ方向を、単に「流れ方向」という場合がある。
【００３６】
また、図１に示すように、中空糸膜１２は、一端が封止され他端から透過水が排出されるタイプのものであってもよく、図２に示すように、両端から透過水が排出されるタイプのものであってもよい。
【００３７】
次に、中空糸膜１２について説明する。
【００３８】
容器１１内部に設けられる中空糸膜１２の素材としては、例えば、酢酸セルロース、芳香族ポリアミド、ポリビニールアルコール、ポリフッ化ビニリデン、ポリテトラフルオロエチレン等が挙げられる。
【００３９】
中空糸膜１２の内径は、好ましくは０．１〜２．０ｍｍ、より好ましくは０．３〜２．０ｍｍである。
【００４０】
中空糸膜１２の長さは、中空糸膜１２の内径や、後述する中空糸膜１２による原水の膜分離状態（透過状態）等に応じて適宜設定することができる。ただし、中空糸膜１２が長くなる程、中空糸膜１２において流れ方向上流側で透過水が得られ難くなる傾向にあることに鑑みて、中空糸膜１２の長さは、１ｍ以上であることが好ましく、１．２ｍ以上であることがより好ましい。中空糸膜１２の長さを１ｍ以上とすることにより、流れ方向上流側部分で膜分離がより生じ難いような中空糸膜１２において、該中空糸膜１２における流れ方向上流側での透過水量を増加させて、流れ方向下流側での透過水量に対する差を小さくすることができるため、より効果的である。
【００４１】
一方、中空糸膜１２が長過ぎると、流れ方向上流側では中空糸膜１２を透過させること自体が困難となるおそれがあるため、かかる観点に鑑みて、中空糸膜１２の長さは、３ｍ以下であることが好ましく、２ｍ以下であることがより好ましい。なお、本発明において、中空糸膜１２の長さは、中空糸膜１２が、図１に示すように、一端が封止され他端から透過水が排出されるタイプのものである場合には、中空糸膜１２において該中空糸膜１２の表面が原水と接触可能な部分の長さをいい、かかる長さが原水流路１５の長さに相当する。また、中空糸膜１２が、図２に示すように、両端から透過水が排出されるタイプのものである場合には、中空糸膜１２の長さは、該中空糸膜１２の表面が原水と接触可能な部分の長さの１／２であり、かかる１／２の長さが原水流路１５の長さに相当する。
【００４２】
次に、容器１１における中空糸膜１２による膜分離について説明する。
【００４３】
容器１１の周面部の長手方向一端部（図１の左側）には、原水入口部１３が形成され、他端部（図１の右側）には原水出口部１４が形成されている。また、本実施形態の中空糸膜ユニット１０は外圧式であり、原水入口部１３は、加圧供給ポンプ２０（図５参照）と接続されており、加圧供給ポンプ２０によって加圧されながら送られた原水は、原水入口部１３から容器１１内部に供給され、容器１１内部における中空糸膜１２が存在しない領域から形成された原水流路１５を、中空糸膜１２の長手方向に沿って原水入口部１３側から原水出口部１４側に向かう方向（流れ方向、図１の左側から右側に向かう方向）に通過し、原水出口部１４から排出される。
【００４４】
加圧供給ポンプ２０と原水入口部１３との間に設けられた配管には、圧力計２１（図５参照）が配置されており、原水入口部１３に供給される原水の圧力を測定できるようになっている。加圧供給ポンプ２０によって供給される原水の圧力及び流量は、後述するように、容器１１内部における原水の流れ方向上流側端部の静圧Ｐａ２に対する下流側端部の静圧Ｐａ１の差ΔＰａが小さくなるように原水を加圧可能であれば、特に限定されるものではないが、例えば、原水入口部１３に供給される原水の圧力は、フラックス（＝流量／膜面積）が０．５〜１．５ｍ／日となるように設定することができ、例えば、原水の圧力を５〜８０ｋＰａ、流量を４．６×１０-4〜８．７×１０-4ｍ3／ｓと設定することができる。
【００４５】
また、加圧された原水が中空糸膜１２に沿って原水流路１５を通過する際、中空糸膜１２によって膜分離され、原水の一部が中空糸膜１２を外側から内側の中空部分に透過し、かかる透過水が集水室１８を通って透過水排出部１９から排出される。すなわち、処理水たる透過水は、中空糸膜１２の中空部分を原水の流れ方向と同方向（図１の左側から右側に向かう方向）に移動して中空糸膜１２から排出される。
【００４６】
次に、容器１１の形状について説明する。
【００４７】
図１及び図３に示すように、容器１１の内周面によって形成される原水流路１５は、該原水流路１５の横断面積が原水出口部１４側から原水入口部１３側に向かって大きくなるように傾斜したテーパ形状に形成されている。すなわち、該原水流路１５における原水の流れ方向上流側端部の横断面積が下流側端部の横断面積よりも大きくなるように傾斜したテーパ形状に形成されている。ここで、原水流路１５の横断面積は、容器１１内部に中空糸膜１２が設けられていないときの横断面積をいう。また、ここでは、原水流路１５は、断面円形状に形成され、且つ、原水流路の外周縁が側面視直線状となるように形成されている。すなわち、原水流路１５は、円錐台形状となるように形成されている。これにより、原水流路１５における流れ方向上流側端部の横断面積Ｓ２は、下流側端部の横断面積Ｓ１よりも大きくなっている。
【００４８】
かかる横断面積Ｓ２を横断面積Ｓ１よりも大きくすることにより、容器１１内部の流れ方向上流側で原水を滞留させることができるため、原水の流速ｖを小さくすることができる。これにより、原水の流れ方向上流側端部の動圧Ｐｂ２が小さくなるため、該上流側端部の静圧Ｐａ２を大きくすることができる。従って、該上流側端部の静圧Ｐａ２に対する下流側端部の静圧Ｐａ１の差ΔＰａを小さくすることができるため、中空糸膜１２における流れ方向上流側端部の透過水量を増加させて、該上流側端部の透過水量と下流側端部の透過水量との差を小さくすることができる。これにより、中空糸膜１２により原水を膜分離する際に該中空糸膜１２の表面を広く有効に活用することができ、処理効率を向上させることができる。
【００４９】
また、横断面積Ｓ１に対する横断面積Ｓ２の比（Ｓ２／Ｓ１）は、２以上であることが好ましく、５以上であることがより好ましい。Ｓ２／Ｓ１が２以上であることにより、上記静圧差ΔＰａをより小さくすることができる。
【００５０】
本実施形態では、原水流路１５の横断面が円形状であるため、上記した横断面積比Ｓ２／Ｓ１が得られるように、各横断面積Ｓ１及び横断面積Ｓ２の直径、すなわち容器１１の内径を設定すればよい。また、中空糸膜の長さが２ｍである場合、例えば、中空糸膜１２の本数に応じて、下流側の横断面積Ｓ１は、７．８５×１０-3〜１．７７×１０-2ｍ2とすることができ、上流側の横断面積Ｓ２は、１．７７×１０-2〜３．１４×１０-2ｍ2とすることができる。
【００５１】
本実施形態では、容器１１内部における原水流路１５の外周縁を側面視直線状としたが、かかる外周縁の、中空糸膜１２の長手方向（図３の一点鎖線）に対する傾斜角度θは、０．０２９°以上であることが好ましく、１°以上であることがより好ましく、３°以上であることがさらに好ましく、５°以上であることが一層好ましい。傾斜角度θを０．０２９°以上とすることにより、上記静圧差ΔＰａをより小さくすることができる。一方、傾斜角度θは、１０°以下であることが好ましく、５°以下であることがより好ましい。傾斜角度を１０°以下とすることにより、容器１１内部における原水の剥離流れを抑制することができる。
【００５２】
また、上記したように横断面積Ｓ１及びＳ２とすることによって得られる静圧差ΔＰａは、３ｋＰａ以下（Ｐａ１−Ｐａ２≦３ｋＰａ）であることが好ましく、２ｋＰａ以下であることがより好ましく、１ｋＰａ以下であることがさらに好ましく、０ｋＰａ以下であることが一層好ましい。静圧差ΔＰａを３ｋＰａ以下とすることにより、流れ方向下流側端部の静圧Ｐａ１と上流側端部の静圧Ｐａ２との差が十分に小さくなるため、中空糸膜１２における流れ方向下流側端部の透過水量に対する上流側端部の透過水量の差をより小さくすることができる。これにより、中空糸膜１２により原水を膜分離する際に該中空糸膜１２の表面を広く有効に活用することができ、処理効率を向上させることができる。一方、上記した静圧差ΔＰａは、−３ｋＰａ以上であることが好ましい。
【００５３】
また、中空糸膜１２によって得られる透過水量をより増加させるという観点に鑑みて、流れ方向下流側端部の静圧Ｐａ１は、５０ｋＰａ以上であることが好ましい。
【００５４】
かかる容器１１内部の原水流路１５における流れ方向下流側端部の静圧Ｐａ１及び上流側端部の静圧Ｐｂ２は、例えば、以下の方法により測定することができる。すなわち、図３及び図４に示すように、容器１１の原水の流れ方向において下流側端部及び上流側端部にそれぞれピトー管２４、２５が、容器１１を貫通して先端が原水流路１５において上流側を向くように取り付けられている。ピトー管２４は、内側の管２４ａと外側の管２４ｂとの二重構造となっており、内側の管２４ａには先端に孔２４ａａが形成され、かかる孔２４ａａは原水の流れに正対するように配置されている。これにより、孔２４ａａには、静圧と原水の流れによる動圧とを合わせた全圧がかかるようになっている。一方、外側の管２４ｂには側面に孔２４ｂａが形成され、かかる孔２４ｂａは、原水の流れと平行に配置されている。これにより、孔２４ｂａは原水の流れの影響を受けないため、孔２４ｂａには、静圧がかかるようになっている。
【００５５】
また、ピトー管２４は、容器１１の外側において圧力計２６と接続されており、かかる圧力計２６は、ピトー管２４のうち内側の管２４ａにかかる全圧と、外側の管２４ｂにかかる静圧と、をそれぞれ測定することができるようになっている。これにより、下流側端部における静圧を測定することができるようになっている。
【００５６】
ピトー管２５も、ピトー管２４と同様に、内側の管２５ａと外側の管２５ｂとの二重構造となっており、容器１１を貫通して原水流路１５において先端が原水の上流側を向くように配置され、容器１１の外側において圧力計２７と接続されている。そして、内側の管２５ａの先端に形成された孔２５ａａによって原水の全圧が測定され、外側の管２５ｂの側面に形成された孔２５ｂａによって原水の静圧が測定されるようになっており、これにより、上流側端部における静圧を測定することができるようになっている。
【００５７】
また、圧力計２６、２７によって測定された原水の全圧と静圧との差から動圧を算出し、ベルヌーイの式を適用することによって、下流側端部及び上流側端部における原水の流速を算出することができるようになっている。また、下流側端部及び上流側端部においてこのように算出した流速から動圧を算出し、測定された全圧と算出された動圧とから静圧を測定することもできる。
【００５８】
中空糸膜ユニット１０に供給される原水としては、工場（鉄鋼、食品、電力、電子、医薬、自動車等の工場）の廃水、生活廃水、ゴミ浸出水等の廃水、工業用水等の用水、河川水、湖沼水、及び海水等が挙げられる。また、下水や各種工場廃水等を生物処理して生じた汚泥含有水等も挙げられる。
【００５９】
本実施形態の中空糸膜ユニットは、上記の様に構成されてなるが、次に、本実施形態の水処理装置について説明する。
【００６０】
図５に示すように、本実施形態の水処理装置１は、本実施形態の中空糸膜ユニット１０を備え、更に、原水Ａを加圧しながら中空糸膜ユニット１０に供給する加圧供給ポンプ２０を備えている。
【００６１】
本実施形態の水処理装置１は、本実施形態の中空糸膜ユニット１０によって原水Ａが膜分離されて生成された処理水たる透過水Ｂが回収されるように構成されている。また、本実施形態では、中空糸膜ユニット１０は、中空糸膜１２が鉛直方向を向くように配置されているが、その他例えば、中空糸膜ユニット１０を、中空糸膜１２が水平方向を向くように配置することもできる。
【００６２】
本実施形態の中空糸膜ユニット、及び水処理装置は、上記の様に構成されてなるが、次ぎに、本実施形態の水処理方法について説明する。
【００６３】
本実施形態の水処理方法は、加圧供給ポンプ２０により本実施形態の中空糸膜ユニット１０の原水入口部１３に原水を加圧しながら供給し、中空糸膜ユニット１０によって原水Ａを膜分離して透過水Ｂを生成し回収する。
【００６４】
尚、本実施形態の中空糸膜ユニット、水処理装置、及び水処理方法は、上記構成により、上記利点を有するものであったが、本発明の中空糸膜ユニット、水処理装置、及び水処理方法は、上記構成に限定されず、適宜設計変更可能である。
【００６５】
例えば、本実施形態の中空糸膜ユニット１０では、容器１１を、該容器１１内部の原水流路１５が円錐台形状となるように形成したが、容器１１の形状は、上記実施形態に特に限定されるものではなく、例えばその他、原水流路１５が、円形状の横断面を有し、流れ方向下流側から上流側に向かって横断面積が大きくなるように傾斜したテーパ形状であって、且つ、上記下流側から上流側に向かうほど中空糸膜１２の長手方向に対する傾斜が大きくなるように湾曲した形状に形成することもできる。また、本実施形態では、容器１１の内周面のみならず外周面も上記したテーパ形状に形成することによって上記した原水流路１５を形成したが、その他例えば、内周面のみを上記したテーパ形状に形成することによって上記した原水流路１５を形成することもできる。
【実施例】
【００６６】
次に、実施例を挙げて本発明についてさらに具体的に説明する。
【００６７】
中空糸膜として、外径が１．２ｍｍ、内径が０．６ｍｍ、長さが２ｍである中空糸膜を使用した。また、図６に示す装置を用いて実験を行った。すなわち、中空糸膜１２のうち水の抜出し口の反対側（図６の左側）を針で塞ぎ、もう片側（図６の右側）は中空糸膜１２の内径と同程度の外径を持つ注射針（透過水出口部）２３を刺して固定してこれを試料とした。かかる中空糸膜１２を円錐台形状のセル２２に入れ、注射針２３をセル２２における水の抜出し口に接続することにより、中空糸膜１２をセル２２にセットし、セル２２内部を原水としての水で満たした。次に、セル２２の入口側に加圧供給ポンプ２０をつないでセル２２内部を加圧し、原水を透過させた。また、セル２２に供給される原水の圧力を圧力計２１で測定した。さらに、下流側端部の静圧Ｐａ１及び上流側端部の静圧Ｐａ２を測定するために、セル２２の下流側端部及び上流側端部に、流れ方向と垂直方向に沿って一端が原水流路１５に挿入されるようにノズル２４、２５を取り付け、他端にそれぞれ圧力計２６、２７を取り付けた。
【００６８】
そして、セル２２への原水の圧力及び流入量、注射針２３からの透過水の排出流量が、表１に示す値となるように設定して、原水をセル２２に流入させ、セル２２内を図６の左側から右側に通過させた。このとき、表１に示すように、セル２２における流れ方向下流側端部の内径Ｒ１を一定にして上流側端部の内径Ｒ２を変化させると共に、セル２２内部における原水流路１５の外周縁の、中空糸膜１２の長手方向に対する傾斜角度θを変化させたときの、流れ方向下流側端部の静圧Ｐａ１、流れ方向上流側端部の静圧Ｐａ２を測定し、ＣＦＤによって、原水の流れ方向における透過水の流量分布を算出した。解析にはＦＬＵＥＮＴ６．３（ＡＮＳＹＳ社）を用い、計算モデルは２次元軸対称層流モデルを用いた。かかるＣＤＦによる算出としては、新品の中空糸膜について予め算出した透過抵抗と膜の内径、外径を基に、膜の形状を維持したままセル２２の形状を表１のように変化させたときの、原水の流れ方向における透過水の流量分布を算出し、かかる流量分布から下流側端部の透過水量Ｖ１及び上流側端部の透過水量Ｖ２を算出した。また、透過水量は、透過水量（ｍ2／ｓ）＝（透過水の流量／中空糸膜の周長さ）として算出した。結果を表２に示す。
【表１】
2012076041.tif 000003
【表２】
2012076041.tif 000004
【００６９】
表２に示すように、セル２２内部の原水流路１５を、該原水流路の流れ方向上流側端部の横断面積Ｓ２方が下流側端部の横断面積Ｓ１よりも大きくなるように、中空糸膜１２の長手方向に対して傾斜させた実験例２及び３の方が、原水流路１５を傾斜させない実験例１（従来例）よりも、上流側端部の静圧Ｐａ２に対する下流側端部の静圧Ｐａ１の差ΔＰａが小さくなり、傾斜角度が大きくなるほど、静圧差ΔＰａが小さくなり、静圧差ΔＰが小さくなると、透過水量比Ｖ１／Ｖ２が小さくなる傾向にあった。
【００７０】
従って、上記モデル実験により、横断面積Ｓ２を横断面積Ｓ１よりも大きくすることよって、静圧差ΔＰを小さくして、上流側端部と下流側端部とで透過水量を近づけることができ、中空糸膜により原水を膜分離する際に該中空糸膜の表面を広く有効に活用し、水処理効率を向上させることが可能となることがわかった。また、実験例２及び３の結果から、横断面積比（Ｓ２／Ｓ１）が大きくなるほど、静圧差ΔＰａが小さくなり、これに伴って、下流側端部の透過水量Ｖ１と上流側端部の透過水量Ｖ２との差が小さくなった。
【００７１】
なお、上記実施例では、実験を簡略化するために、中空糸膜ユニットにおいて容器内に１本の中空糸膜を設けた実験装置を用いて数値計算を行ったが、上記実験結果から、容器内に複数の中空糸膜が設けられた中空糸膜ユニットを用いた場合であっても、中空糸膜の本数や間隔等を適宜設計することにより、静圧差ΔＰａを小さくし、上流側端部の透過水量と下流側端部の透過水量との差を小さくできることが推察される。
【符号の説明】
【００７２】
１：水処理装置、１０：中空糸膜ユニット、１１：容器、１２：中空糸膜、１３：原水入口部、１４：原水出口部、１５：原水流路、１６：第１保持板、１７：第２保持板、１８：集水室、１９：透過水出口部、２０：加圧供給ポンプ、２１：圧力計、２２：セル、２３、注射針、Ａ：原水、Ｂ：透過水
【図１】
2012076041.tif 000005
【図２】
2012076041.tif 000006
【図３】
2012076041.tif 000007
【図４】
2012076041.tif 000008
【図５】
2012076041.tif 000009
【図６】
2012076041.tif 000010
【図７】
2012076041.tif 000011
【図８】
2012076041.tif 000012
【図９】
2012076041.tif 000013
【図１０】
2012076041.tif 000014